(57)【要約】      （修正有）【課題】粉塵の混入を防止して防塵性を担保しつつも排水性を持たせるべく、通気性のパッキンにて接合する新たな側方灯を新たに提供する。【解決手段】光源１３を含む内部部分を、接合部材として取付カバー５及びパッキン１を介して着色レンズ４によって覆う側方灯２において、パッキン材として全周に亘り三箇所に貫通孔を形成したウレタン系発泡性樹脂を軽度に圧縮して用いた。【選択図】図１
0003202488.tif 000002
【実用新案登録請求の範囲】
【請求項１】
光源を含む内部部分を、接合部材として取付カバー及びパッキンを介して着色レンズによって覆う側方灯において、
前記パッキン材として発泡性樹脂を軽度に圧縮して適用することを特徴とする通気性パッキンを用いた側方灯。
【請求項２】
前記発泡性樹脂はウレタン系樹脂であることを特徴とする請求項１に記載の通気性パッキンを用いた側方灯。
【請求項３】
前記着色レンズにはアクリル系樹脂を適用することを特徴とする請求項１又は２に記載の通気性パッキンを用いた側方灯。
【請求項４】
前記着色レンズは出射光の分散を制御するプリズムカットが施されていることを特徴とする請求項１から３のいずれか１項に記載の通気性パッキンを用いた側方灯。
【請求項５】
前記光源にはクリプトン電球を用いることを特徴とする請求項１から４のいずれか１項に記載の通気性パッキンを用いた側方灯。
【考案の詳細な説明】
【技術分野】
【０００１】
本考案は、車両に用いられる側方灯に関するものであり、特にカバー内部への防塵性を保ちながらも通気性及び排水性をも担保することにより、側方灯の故障を低減し得る通気性パッキンを用いた側方灯に関するものである。
【背景技術】
【０００２】
図２に示すように、車両に用いられる従来の側方灯２では、風雨や粉塵に曝される過酷な外部環境から光源１３を保護するべく、着色レンズ１４が取り付けられる。ここで、従来型の着色レンズ１４は、ゴム製のパッキン１１を介して強く圧縮されたうえ、取付カバー５で接合部を全周に亘って覆い、側方灯のレンズ内部を保護している。また、着色レンズ１４下部には全周に亘って通気孔を形成し、着色レンズ１４の内部に籠もる湿気を開放させている。
かかる構造体とすることにより、着色レンズ１４の内部への結露を防止し、また光源１３を含めた電気系統の故障を防止している。
【考案の概要】
【考案が解決しようとする課題】
【０００３】
従来の接合構造では、取付カバー５によって着色レンズ１４の内部に混入する粉塵を大幅に低減出来る。しかしながら、永年の使用により、通気孔を介して多少の粉塵が着色レンズ１４の内部に混入することを完全に防止することは不可能である。
かかる粉塵は、光源１３からの発熱により化学反応を起こし、着色レンズ１４及び光源１３を含めた内部全体に強固に付着して順次堆積し、側方灯としての充分な明るさを維持することが不可能となる。更に、側方灯２の電気系統含めた故障原因ともなってくる。
【０００４】
一方、粉塵の混入を防止するべく接合部分を完全密封することは、過酷な環境下で永年に亘って使用される側方灯２としては現実問題として事実上不可能である。内部に貯まる水蒸気を放出するべく通気性を確保することも重要となってくるからである。
【０００５】
そこで、本考案は、このような実情に鑑みてなされたものであり、その目的は、粉塵の混入を防止して防塵性を担保しつつも排水性を持たせるべく、通気性のパッキンにて接合する新たな側方灯を提供しようとするものである。
【課題を解決するための手段】
【０００６】
上記課題に鑑みて鋭意研究した結果、本考案者は、ゴム製パッキンに代えて発泡ウレタン素材のパッキンにて、軽度の圧縮荷重を掛けることにより、防塵性を維持しつつも排水性を確保した側方灯を提供することに成功した。
【０００７】
具体的には、光源を含む内部部分を、接合部材として取付カバー及びパッキンを介して着色レンズによって覆う側方灯において、
前記パッキン材として発泡性樹脂を軽度に圧縮して適用することを特徴とする通気性パッキンを用いた側方灯を提供する。
かかる構成により、発泡性樹脂によるフィルターとしての防塵性能が確保されると同時に通気性により排水性能を得ることが可能となる。
【０００８】
また、前記発泡性樹脂はウレタン系樹脂であることを特徴とする側方灯を提供する。
クッション性能に優れるとともに劣化し難いウレタン系樹脂をパッキン材として適用することにより、過酷な環境下で用いられる長寿命の側方灯を得ることが可能となる。
【０００９】
また、前記着色レンズにはアクリル系樹脂を適用することを特徴とする側方灯を提供する。
アクリル系樹脂は透明性及び耐候性能に優れており、側方灯の信頼性能の向上及び長寿命化が可能となる。
【００１０】
また、前記着色レンズは出射光の分散を制御するプリズムカットが施されていることを特徴とする側方灯を提供する。
かかる形状設計により遠方へも光が到達し、側方灯の視認性の向上が可能となる。
【００１１】
また、前記光源にはクリプトン電球を用いることを特徴とする側方灯を提供する。
クリプトン電球を用いることにより、側方灯の耐振動性及び長寿命化が可能となる。
【考案の効果】
【００１２】
以上説明したように、本考案の側方灯では、軽度の圧縮加重を加えた発泡ウレタン素材のパッキンを接合部に適用することにより、発泡体が粉塵のフィルターとして機能しながらも通気性及び排水性を確保することが可能となり、着色レンズ含めた側方灯内部での結露を防止しつつも防塵性を担保することが可能となる。これにより、長期間の使用に耐えうる側方灯を得ることが可能となる。
【図面の簡単な説明】
【００１３】
【図１】本考案の側方灯の構成部材を模式的に示す全体概略図である。
【図２】従来の側方灯の構成部材を模式的に示す全体概略図である。
【考案を実施するための形態】
【００１４】
以下、添付図面を参照しながら、本考案の側方灯を実施するための最良形態を詳細に説明する。図１は、本考案の側方灯の構成部材を模式的に示す全体概略図である。
光源含めた側方灯の内部を覆う着色レンズ４は、従来のゴム製パッキン１１に代えて発砲ウレタン素材のパッキン１によって全周に亘って接合される。また、従来のゴム製パッキン１１とは異なり、接合に際しては、着色レンズ４を強固に圧縮しないことも通気性及び排水性を維持するために重要である。
【００１５】
かかる接合構造においては、発泡ウレタンパッキン１が、強固に圧縮しない発泡体であるため通気性による水抜き効果が得られる。しかも、発泡体であるため、外部からの粉塵の混入を未然防止するフィルターとしての効果をも実現することが可能となる。その結果として、故障を低減して信頼性の高い側方灯を得ることが可能となる。
【００１６】
特に、発泡性能を有する樹脂は合成樹脂を中心として数多く存在するが、その中でもウレタン系樹脂は、軽量で耐熱性を有し物理的強度に優れていることからクッション性能に優れている。また、水分による劣化が少なく耐薬品性能に優れている化学的安定性のため、過酷な環境下で用いられる長寿命の側方灯のパッキン素材として最適な素材である。
【００１７】
また、着色レンズ４の素材としては、透明性及び耐候性能に優れたアクリル系樹脂（ＰＭＭＡ）を用いるとともに、出射光の分散を制御して遠方へも光が到達するプリズムカットによる形状設計を施し高い視認性を確保した。
【００１８】
また、光源１３としては、耐振動性及び長寿命化を実現するクリプトン電球を適用することにより、側方灯としての信頼性を一層高めることが可能となる。
【産業上の利用可能性】
【００１９】
本考案の通気性パッキンを用いた側方灯は、車両に適用する作業灯として、広く作業灯分野における産業の利用に供することができる。
【符号の説明】
【００２０】
１、１１・・・パッキン
２・・・側方灯
１３・・・光源
４、１４・・・着色レンズ
５・・・取付カバー
【図１】
0003202488.tif 000003
【図２】
0003202488.tif 000004